(57)【要約】【課題】様々な形状の既設ビニルハウスに対し後付け方式で容易に取り付けることが可能であって、開閉操作が簡単で優れた換気機能を発揮し、強風でも損傷しにくい、ビニルハウス用換気扉を提供する。【解決手段】  ビニルハウス用換気扉１は、骨組み材１４に合成樹脂フィルムを張設して形成されたビニルハウス１３に取り付け可能な換気扉であって、ビニルハウス１３の屋根面に沿った状態で骨組み材１４に係止される枠体２と、枠体２で包囲された領域１６を開閉するため枠体２にヒンジ３を介して回動可能に軸支された扉体４とを備えている。また、扉体４の開度調節手段として、枠体２と扉体４との間にアーム材６が架設され、アーム材６に対する係脱可能な係止手段９が設けられている。【選択図】  図４
2005087127.tif 000002
【特許請求の範囲】
【請求項１】
骨組み材に合成樹脂フィルムを張設して形成されたビニルハウスに取り付け可能な開閉式の換気扉であって、ビニルハウスの外面に沿った状態で骨組み材の一部に係止される枠体と、前記枠体で包囲された領域を開閉するため前記枠体に回動可能に軸支された扉体または前記枠体に対して接近離隔可能に取り付けられた扉体とを備えたことを特徴とするビニルハウス用換気扉。
【請求項２】
前記扉体の開度を規定するための開度調節手段を設けた請求項１記載のビニルハウス用換気扉。
【請求項３】
前記開度調節手段として、前記枠体と前記扉体との間に少なくとも１本のアーム材を架設し、前記アーム材に対する係脱可能な係合手段を前記枠体、前記扉体の少なくとも一方に設けた請求項１または２記載のビニルハウス用換気扉。
【請求項４】
前記扉体をビニルハウスの外側に向かって膨らんだ形状とした請求項１〜３のいずれかに記載のビニルハウス用換気扉。
【発明の詳細な説明】
【技術分野】
【０００１】
本発明は、ビニルハウス内の温度や湿度を調整するため、既設のビニルハウスの屋根部分などに取り付けて使用することのできる開閉式の換気扉に関する。
【背景技術】
【０００２】
ビニルハウス内の温度や湿度は外気の温度や日照の強弱によって大きく変化するので、ビニルハウス内で栽培されている植物に適した生育環境を確保したり、作業環境を快適に保ったりするためには、適宜、ビニルハウス内の換気を行うことが必要である。
【０００３】
このため、従来、様々なビニルハウス換気技術が開発されているが、本願発明に関連するものとして、ビニルハウスの屋根の棟部分に昇降式の天窓を設けたもの（例えば、特許文献１参照。）、ビニルハウスの屋根の頂上部分に塩化ビニル製の浮き輪を二段重ねた構造の蓋付き円筒形ダクトを配置したもの（例えば、特許文献２参照。）あるいはビニルハウスの天井の最高部分に垂直面を形成する骨組みを設けて、この垂直面を覆う可撓性シートを開閉する構造としたもの（例えば、特許文献３参照。）などがある。
【０００４】
【特許文献１】実開昭６３−３１７６２号公報（第２−４頁）
【特許文献２】特開２００１−３２０９８３号公報（第２−９頁）
【特許文献３】特開２０００−２３５７５号公報（第２頁）
【発明の開示】
【発明が解決しようとする課題】
【０００５】
特許文献１，２に記載されている換気技術の場合、開閉窓を構成する枠材などの部材がビニルハウスを構成する骨組み材と一体化して形成された複雑な構造であるため、実際に栽培活動が行われている既設のビニルハウスに対して、いわゆる、後付け方式で取り付けることは事実上不可能である。また、これらの換気技術は、ビニルハウスの屋根の棟の長手方向に配置された回転軸（または巻取軸）を回転させることによって換気窓の開閉を行うものであるため、山間部の傾斜地に構築されることの多いミカン栽培用ビニルハウスのように、屋根の棟部分が傾斜面の起伏に沿って上下左右にカーブしている形状のビニルハウスには採用することができない。
【０００６】
特許文献３に記載されている換気ダクトは、既設のビニルハウスに後付け方式で取り付けることができる点では優れているが、ビニルハウスの屋根部分より高く突出した形状であるため、強風などの悪天候の際に損傷する可能性が高い。また、上昇気流や対流の作用によって換気を行う自然換気方式であるため、必要なときに十分な換気機能が得られないことがあり、緊急に換気を行う必要が生じたときに迅速に対応することができない。
【０００７】
本発明が解決しようとする課題は、様々な形状の既設ビニルハウスに対し後付け方式で容易に取り付けることが可能であって、開閉操作が簡単で優れた換気機能を発揮し、強風でも損傷しにくい、ビニルハウス用換気扉を提供することにある。
【課題を解決するための手段】
【０００８】
本発明のビニルハウス用換気扉は、骨組み材に合成樹脂フィルムを張設して形成されたビニルハウスに取り付け可能な開閉式の換気扉であって、ビニルハウスの外面に沿った状態で骨組み材の一部に係止される枠体と、この枠体で包囲された領域を開閉するため枠体に回動可能に軸支された扉体または枠体に対して接近離隔可能に取り付けられた扉体とを備えたことを特徴とする。このような構成とすることにより、完成したビニルハウスの骨組み材の一部に枠体を係止すれば、扉体を軸支部分を中心に回動させたり、扉体を枠体に対して接近離隔させたりすることによって枠体で包囲された領域内を開閉することができるようになる。
【０００９】
枠体を骨組み材に係止することによって取り付ける方式であるため、様々な形状の既設ビニルハウスに対し後付け方式で容易に取り付けることが可能であり、枠体はビニルハウスの外面に沿った状態で骨組み材に固定されるため、強風でも損傷しにくい。また、扉体を回動させたり、枠体に接近離隔させたりするだけで、枠体で包囲された領域内を開閉することができるため、開閉操作も簡単である。さらに、枠体で包囲された領域を開放することができるため、優れた換気機能を発揮する、
【００１０】
ここで、前記扉体の開度を規定するための開度調節手段を設けることが望ましい。このような開度調節手段を設ければ、外気温度、天候あるいはビニルハウス内の温度、湿度に応じた開度に設定することにより、状況に応じた適切な換気を行うことができるようになる。このため、ビニルハウス内を植物の生育に適した環境あるいは快適な作業環境に整えることが可能となる。
【００１１】
この場合、前記開度調節手段として、枠体と扉体との間に少なくとも１本のアーム材を架設し、このアーム材に対する係脱可能な係合手段を枠体、扉体の少なくとも一方に設けることが望ましい。このような構成とすれば、簡素な機構でありながら扉体を設定開度に保つことが可能となり、開度の変更も容易である。
【００１２】
一方、前記扉体をビニルハウスの外側に向かって膨らんだ形状とすることが望ましい。このような形状とすれば、ビニルハウスの外面、特に、外側に向かって膨らんだ形状の屋根面に沿った状態で枠体を骨組み材に係止した場合、枠体で包囲された領域内でビニルハウスの骨組み材の一部が上方に突出していても、これらの突出部分によって扉体が閉止不能となることがない。
【発明の効果】
【００１３】
本発明により、以下の効果を奏する。
【００１４】
（１）ビニルハウスの外面に沿った状態で骨組み材の一部に係止される枠体と、この枠体で包囲された領域を開閉するため枠体に回動可能に軸支された扉体または枠体に対して接近離隔可能に取り付けられた扉体とを備えたことにより、様々な形状の既設ビニルハウスに対し後付け方式で容易に取り付けることが可能となり、開閉操作は簡単であり、優れた換気機能を発揮し、強風でも損傷しにくいものとなる。
【００１５】
（２）前記扉体の開度を規定するための開度調節手段を設ければ、外気温度、天候あるいはビニルハウス内の温度、湿度に応じた開度に設定することにより、状況に応じた適切な換気を行うことができるようになるため、ビニルハウス内を植物の生育に適した環境あるいは快適な作業環境に整えることが可能となる。
【００１６】
（３）前記開度調節手段として、枠体と扉体との間に少なくとも１本のアーム材を架設し、このアーム材に対する係脱可能な係合手段を枠体、扉体の少なくとも一方に設ければ、簡素な機構でありながら扉体を設定開度に保つことが可能となり、開度の変更も容易である。
【００１７】
（４）前記扉体をビニルハウスの外側に向かって膨らんだ形状とすれば、枠体で包囲された領域内で骨組み材の一部が上方に突出していても、これらの突出部分によって扉体が閉止不能となることがない。
【発明を実施するための最良の形態】
【００１８】
以下、本発明の実施の形態であるビニルハウス用換気扉を図面に基づいて説明する。図１は本発明の実施の形態であるビニルハウス用換気扉を示す斜視図であり、図２は図１におけるＡ−Ａ線断面図であり、図３は図１におけるＢ−Ｂ線断面図である。
【００１９】
図１，２に示すように、本実施形態のビニルハウス用換気扉１は、平面視形状が長方形をした枠体２と、この枠体２の一方の長辺部分にヒンジ３を介して回動可能に軸支された扉体４とを備えている。枠体２は、細長い帯状板材で形成された平板枠体２ａと、丸い管材で形成され平板枠体２ａの上に固着されたパイプ枠体２ｂとで形成されており、扉体４は、パイプ枠体２ｂと同様のパイプ材によって形成されている。平板枠体２ａの外周縁と、パイプ枠体２ｂの外周縁とはほぼ同じサイズ、形状をなしており、平板枠材２ａ上にパイプ枠材２ｂを固着した構造とすることによって剛性を高めている。
【００２０】
平板枠体２ａの長辺部分の内周寄りの部分には、２個を１組とする矩形孔５がほぼ等間隔に配置されている。また、扉体４の開度調節手段として、枠体２と扉体４との間に２本のアーム材６が架設され、これらのアーム材６の上端部は扉体４の前縁部に蝶ネジ係止され、アーム材６全体は、平板枠体２ａの前縁部の内周寄りの部分に形成された２つのアーム孔７にそれぞれ移動可能に挿入されている。２本のアーム材７の下端部同士は枠体２の前縁部と略平行な連結部材８で連結されている。連結部材８は、その両端部に形成された凹部８ａにアーム材７の下端部を把持し、係止ボルト８ｂで締め付けることによって、固定されている。
【００２１】
平板枠体２ａの前縁部の下面部分には、２本のアーム材６の長手方向に沿って一定間隔ごとに開設された係止孔６ａに係脱可能な係合手段９が設けられている。図３に示すように、係合手段９は、箱体形状のケーシング９ａ内に、アーム材７に向かって出没可能な棒状のストッパ材９ｂと、ストッパ材９ｂをアーム材７方向に付勢するためのスプリング９ｃとを配置した構造である。また、ストッパ材９ｂの基端部にはワイヤ１１の上端部が係止され、ワイヤ１１の下端部にはグリップ１１ａが取り付けられている。
【００２２】
２つのグリップ１１ａをそれぞれ手でつかんで下方に引っ張ると、ケーシング９ａ内のストッパ材９ｂが枠体２の前縁部側へ移動し、ストッパ材９ｂの先端部がアーム材６の係止孔６ａから離脱してケーシング９ａ内へ没入する。これによって、２本のアーム材６はアーム孔７内で移動自在となるため、連結部材８を上昇、下降させることによって、扉体４の開閉操作を行うことができる。この場合、図２に示すように、先端にコ字状の把持部１２ａを有する棒状の開閉補助具１２を用いれば、連結部材８が高い位置にあっても容易に開閉操作をすることができる。
【００２３】
連結部材８を昇降させ、アーム材６の係止孔６ａのいずれかがストッパ材９ｂの位置に合致したところでグリップ１１ａを握っている手を離せば、スプリング９ｃの復元力によってストッパ材９ｂの先端部がケーシング９ａから突出して係止孔６ａに貫入され、アーム材６はその位置に係止され、これによって扉体４は所定の開度に保持される。このように、グリップ１１ａを下方に引っ張れば、係止手段９におけるアーム材６の係止が解除され、扉体４はヒンジ３を中心に回動可能となるため、適切な係止孔６ａを選択してストッパ材９ｂを係止孔６ａに貫入させることによって扉体４の開度調節を行うことができる。
【００２４】
次に、図４〜図７を参照して、ビニルハウス用換気扉１の使用状態について説明する。図４はビニルハウス用換気扉１をビニルハウス１３に取り付けた状態で示す斜視図であり、図５はビニルハウス用換気扉１を構成する枠体２をビニルハウス１３の骨組み材１４に取り付けた状態で示す平面図であり、図６は図５における矢線Ｃ方向からの斜視図であり、図７は図５における矢線Ｄ方向からの斜視図である。
【００２５】
本実施形態では、図４に示すように、骨組み材１４に合成樹脂フィルム（図示せず）を張設して形成された既設のビニルハウス１３の屋根部分の棟材１５の側方部分ビニルハウス用換気扉１を取り付けている。枠体２は、ビニルハウス１３の屋根面に沿った状態で骨組み材１４に係止され、扉体４はヒンジ３を中心に回動することによって枠体２で包囲された領域１６を開閉することができる。なお、扉体４の外面には、ビニルハウス１３に張設されている合成樹脂フィルムと同様の合成樹脂フィルムが張設されているが、図面上では省略している。
【００２６】
図５に示すように、枠体２を骨組み材１４の上に載置し、図６に示すように、平板枠体２ａの内周寄りに形成された１対の矩形孔５にそれぞれ係止された複数の固定器具１７で骨組み材１４を把持することによって枠体２が骨組み材１４に固定される。固定器具１７のネジ１７ａを左右に回転させることによって締め付け用のベルト１７ｂが拡径、縮径するようになっている。
【００２７】
固定器具１７によって枠体２を骨組み材１４に固定したら、骨組み材１４の間に配置されている固定バンド１８を適切な位置で切断した後、図７に示すように、固定バンド１８の端部１８ａをそれぞれ平板枠体２ａの矩形孔５に挿通して結びつけると、枠体２はビニルハウス１３の屋根面に固定される。本実施形態では、図５に示すように、一対の矩形孔５の配置間隔を骨組み材１４および固定バンド１８の交互配置間隔と略同等としているため、枠体２を確実に固定することができる。この後、枠体２で包囲された領域１６内の合成樹脂フィルム（図示せず）を切除して換気用の開口部を開設すれば、前述した扉体２の開閉機構を利用することによって前記領域１６を開閉することができる。
【００２８】
一方、枠体２で包囲された領域１６内の合成樹脂フィルム（図示せず）を切除して形成された開口部の周縁部分の合成樹脂フィルムを枠体２に係止する。この場合、開口部の周縁部分をなす合成樹脂フィルムを枠体２のパイプ枠体２ｂに巻き付け、これらの周囲を弾性体で形成された断面略Ｃ形状の着脱式係止具で把持したり、これらの周囲に弾性体固定バンド１８を巻き付けたりすることによって、合成樹脂フィルムを枠体２に係止することが望ましい。
【００２９】
また、扉体４にも、ビニルハウス１３に張設されている合成樹脂フィルム（図示せず）と同様の合成樹脂フィルムを張設することが望ましい。この場合も、扉体４の外面を合成樹脂フィルムで被覆し、その周縁部分を扉体４の外周部分のパイプ材に巻き付け、前述と同様、略断面Ｃ形状をした着脱式係止具で把持したり、固定バンド１８で合成樹脂フィルムの上面を押さえるとともに、固定バンド１８の端部を扉体４の外周部分のパイプ材に巻き付けたりして、合成樹脂フィルムを扉体４に係止することが望ましい。
【００３０】
このように、ビニルハウス用換気扉１は、枠体２を骨組み材１４に係止することによって取り付ける方式であるため、連棟式ハウス、単棟式ハウスを問わず、また、棟部分が上下左右に曲がっている斜面地のハウスなど、様々な形状の既設ビニルハウスに対し、後付け方式で容易に取り付けることができる。また、枠体２はビニルハウス１３の外面（屋根面）に沿った状態で骨組み材１４に固定されるため、強風の場合であっても損傷、変形しにくい。また、扉体４を回動させるだけで、枠体２で包囲された領域１６内を開閉することができるため、開閉操作も簡単である。さらに、枠体２で包囲された領域１６の殆ど全面を開放することができるため、優れた換気機能を発揮する。
【００３１】
ビニルハウス用換気扉１を既設のビニルハウスに取り付ける場合、枠体２で包囲された領域１６内の合成樹脂フィルム（図示せず）を切除する際にカッタやカミソリなどの切断具を必要とするが、これ以外の工具（例えば、ドライバやペンチなど）を一切使わずに取り付けできるため、取付作業は極めて容易である。
【００３２】
また、前述したように、係止手段９においてアーム材６の係止孔６ａのいずれかを選択して係止させることにより、扉体４の開度を設定することができ、開度の変更も容易である。このため、外気温度、天候あるいはビニルハウス１３内の温度、湿度に応じた開度とすることにより、状況に応じた適切な換気を行うことができ、ビニルハウス１３内を植物の生育に適した環境、快適な作業環境に整えることができる。
【００３３】
本実施形態では、扉体４をビニルハウス１３の外側に向かって膨らんだ形状としているため、ビニルハウス１３の屋根面に沿った状態で枠体２を骨組み材１４に係止した場合、枠体２で包囲された領域１６内で骨組み材１４の一部が上方に突出していても、これらの突出部分によって扉体４が閉止不能となることがない。
【００３４】
次に、図８を参照して、本発明のその他の実施形態であるビニルハウス用換気扉２０について説明する。なお、前述したビニルハウス用換気扉１の構成部分と同じ機能、効果を発揮する部分については、図８において、図１〜図７における符号と同じ符号を付して説明を省略する。
【００３５】
図８に示すように、ビニルハウス用換気扉２０の場合、前述した換気扉１におけるアーム材６の位置に弾性材で形成されたアーム材２６を配置し、換気扉１におけるヒンジ３の位置に相当する位置にもアーム材２６を換気扉１におけるアーム材６と同様に配置している。図８（ａ）に示すように、扉体２が閉止状態にあるときは換気扉１と同様であるが、互いに対向位置にあるアーム材２６の一方を上昇させれば図８（ｂ）に示すように片開き状態に設定することができる。また、両方のアーム材２６を上昇させれば、図８（ｃ）に示すように、両開き状態（扉体２全体が上昇した状態）に設定することができる。
【００３６】
このように、扉体４を枠体２に接近離隔させることにより、その開度を様々に変更することができるため、外気の状況や風向きなどに応じて、扉体４を適切な位置にセットすることにより、高い換気機能が得られる。その他の機能、効果については、前述したビニルハウス用換気扉１と同様である。
【産業上の利用可能性】
【００３７】
本発明に係るビニルハウス用換気扉は、施設園芸に使用されるビニルハウス、魚介類の養殖場あるいはキノコ類の栽培施設に使用されるビニルハウスのほか、骨組み材に合成樹脂フィルムや合成樹脂シートを張設して形成される簡易建物、仮設倉庫などに広く利用することができる。
【図面の簡単な説明】
【００３８】
【図１】本発明の実施の形態であるビニルハウス用換気扉を示す斜視図である。
【図２】図１におけるＡ−Ａ線断面図である。
【図３】図１におけるＢ−Ｂ線断面図である。
【図４】図１に示すビニルハウス用換気扉をビニルハウスに取り付けた状態で示す斜視図である。
【図５】図１に示すビニルハウス用換気扉を構成する枠体をビニルハウスの骨組み材に取り付けた状態で示す平面図である。
【図６】図５における矢線Ｃ方向からの斜視図である。
【図７】図５における矢線Ｄ方向からの斜視図である。
【図８】その他の実施の形態であるビニルハウス用換気扉の開閉操作を示す説明図である。
【符号の説明】
【００３９】
１，２０  ビニルハウス用換気扉
２  枠体
２ａ  平板枠体
２ｂ  パイプ枠体
３  ヒンジ
４  扉体
５  矩形孔
６，２６  アーム材
６ａ  係止孔
７  アーム孔
８  連結部材
８ａ  凹部
８ｂ  係止ボルト
９  係止手段
９ａ  ケーシング
９ｂ  ストッパ材
９ｃ  スプリング
１０  蝶ネジ
１１  ワイヤ
１１ａ  グリップ
１２  開閉補助具
１２ａ  把持部
１３  ビニルハウス
１４  骨組み材
１５  棟材
１６  枠体で包囲された領域
１７  固定器具
１７ａ  ネジ
１７ｂ  ベルト
１８  固定バンド
１８ａ  端部
【図１】
2005087127.tif 000003
【図２】
2005087127.tif 000004
【図３】
2005087127.tif 000005
【図４】
2005087127.tif 000006
【図５】
2005087127.tif 000007
【図６】
2005087127.tif 000008
【図７】
2005087127.tif 000009
【図８】
2005087127.tif 000010